(57)【要約】【課題】限られた時間の中で専門的な問診を必要とせず、患者自らが訴えにくいような症状についても確実に拾い上げ、的確な診断・治療を下すことができるようなシステムを提供する。業を効率的に行う。【解決手段】通信手段を介して患者用端末と医師用端末とが接続されて構成され、少なくとも、スクリーニング情報及び問診情報を記憶する記憶部と、スクリーニング情報及び問診情報を表示する情報表示部と、スクリーニング情報及び問診情報に対する回答を入力する入力部と、入力された回答に基づき、記憶部から問診情報を読み出し情報表示部に表示させる制御部と、入力部から入力された回答に基づき診断を行う診断部と、診断部による診断結果を表示する診断結果表示部とを具備する問診システムを構築し、患者用端末にスクリーニング情報及び問診情報を表示し、患者自身が端末を操作して回答した内容に基づいて疾患を推定する。【選択図】  図１
2004160082.tif 000002
【特許請求の範囲】
【請求項１】
通信手段を介して患者用端末と医師用端末とが接続されて構成され、
少なくとも、スクリーニング情報及び問診情報を記憶する記憶部と、
該スクリーニング情報及び問診情報を表示する情報表示部と、
該スクリーニング情報及び問診情報に対する回答を入力する入力部と、
該入力された回答に基づき、前記記憶部から前記問診情報を読み出し前記情報表示部に表示させる制御部と、
前記入力部から入力された回答に基づき診断を行う診断部と、
該診断部による診断結果を表示する診断結果表示部と
を具備する問診システム。
【請求項２】
入力部から入力された回答を蓄積する蓄積部を備えた請求項１に記載の問診システム。
【請求項３】
患者用端末と医師用端末とはサーバを介して接続され、該サーバに蓄積部を備えた請求項２に記載の問診システム。
【請求項４】
患者用端末には、少なくとも情報表示部と入力部と制御部とを備え、
医師用端末には、少なくとも診断部と診断結果表示部とを備えた請求項１に記載の問診システム。
【請求項５】
少なくとも、スクリーニング情報を情報表示部に表示させて回答の入力を促す第一ステップと、
該入力の結果に基づき問診情報を情報表示部に表示させて問診に対する回答の入力を促す第二ステップと、
該入力の結果に基づき診断を行う第三ステップと、
該診断の結果を表示させる診断結果表示部に表示させる第四ステップとから構成される問診方法。
【請求項６】
少なくとも第一ステップ及び第二ステップは患者用端末で実行され、少なくとも第四ステップは医師用端末で実行される請求項５に記載の問診方法。
【請求項７】
スクリーニング情報を情報表示部に表示させる手順と、
該スクリーニング情報に対する回答に応じて問診情報を記憶部から読み出して情報表示部に表示させる手順と、
前記スクリーニング情報に対する回答及び前記問診情報に対する回答を医師用端末に送信する手順と
を実行させるための問診プログラム。
【請求項８】
スクリーニング情報を情報表示部に表示させる手順と、
該スクリーニング情報に対する回答に応じて問診情報を記憶部から読み出して情報表示部に表示させる手順と、
前記スクリーニング情報に対する回答及び前記問診情報に対する回答を医師用端末に送信する手順と
を実行させるための問診プログラムを記録したコンピュータ読み取り可能な記録媒体。
【請求項９】
患者用端末から送信されたスクリーニング情報に対する回答及び問診情報に対する回答を受信する手順と、
該受信した回答に基づき診断を行う手順と
診断結果を診断結果表示部に表示させる手順と
を実行させるための診断プログラム。
【請求項１０】
受信した回答を集計する手順と、
集計結果を診断結果表示部に表示させる手順と
を備えた請求項９に記載の診断プログラム。
【請求項１１】
患者用端末から送信されたスクリーニング情報に対する回答及び問診情報に対する回答を受信する手順と、
該受信した回答に基づき診断を行う手順と
診断結果を診断結果表示部に表示させる手順と
を実行させるための問診プログラムを記録したコンピュータ読み取り可能な記録媒体。
【請求項１２】
受信した回答を集計する手順と、
集計結果を診断結果表示部に表示させる手順と
を備えた請求項１１に記載の診断プログラムを記録したコンピュータ読み取り可能な記録媒体。。
【発明の詳細な説明】
【０００１】
【発明の属する技術分野】
本発明は、患者に対して問診を行い、入力された情報に基づいて疾患についての適切な診断を下すことができるシステム、プログラム及びそのプログラムを記録した記録媒体に関する。
【０００２】
【従来の技術】
医院や病院においては、患者の症状を把握し、適切な治療を施すために、端末に質問内容を表示させ、患者自らに端末を操作させて問診を行うようにすることも提案されている。（例えば、特許文献１、特許文献２参照）
【０００３】
【特許文献１】
特開２００２−２３０１７７号公報
【特許文献２】
特開２００２−１６９８８５号公報
【０００４】
【発明が解決しようとする課題】
しかしながら、精神疾患については専門的な問診が必要であるため、迅速な診断、治療が行われているとはいえない。
【０００５】
また、ＷＴＯの調査によれば、一般診療医を受診した患者の２４％が何らかの精神的疾患を有しているとの報告があるが、患者の精神的問題は身体症状の裏に隠れていることが多く、表面に現れにくいことから、必ずしも的確な診断・治療がなされているとはいえない。
【０００６】
また、精神疾患だけに限らず、患者自らが直接医師に訴えにくいような症状もあるため、そのような場合も的確な診断・治療が行われないという問題が起こる。
【０００７】
そこで本発明は、限られた時間の中で専門的な問診を必要とせず、患者自らが訴えにくいような症状についても確実に拾い上げ、的確な診断・治療を下すことができるようにすることを目的とする。
【０００８】
【課題を解決するための手段】
上記の目的を達成するために本発明は、通信手段を介して患者用端末と医師用端末とが接続されて構成され、少なくとも、スクリーニング情報及び問診情報を記憶する記憶部と、スクリーニング情報及び問診情報を表示する情報表示部と、スクリーニング情報及び問診情報に対する回答を入力する入力部と、入力された回答に基づき、記憶部から問診情報を読み出し情報表示部に表示させる制御部と、入力部から入力された回答に基づき診断を行う診断部と、診断部による診断結果を表示する診断結果表示部とを具備することを要旨とする問診システムを提供する。
【０００９】
そしてこの問診システムは、入力部から入力された回答を蓄積する蓄積部を備えたこと、患者用端末と医師用端末とはサーバを介して接続され、サーバに蓄積部を備えたこと、患者用端末には、少なくとも情報表示部と入力部と制御部とを備え、医師用端末には、少なくとも診断部と診断結果表示部とを備えたことを付加的要件とする。
【００１０】
また本発明は、少なくとも、スクリーニング情報を情報表示部に表示させて回答の入力を促す第一ステップと、入力の結果に基づき問診情報を情報表示部に表示させて問診に対する回答の入力を促す第二ステップと、入力の結果に基づき診断を行う第三ステップと、診断の結果を表示させる診断結果表示部に表示させる第四ステップとから構成されることを要旨とする問診方法を提供する。
【００１１】
そしてこの問診方法は、少なくとも第一ステップ及び第二ステップは患者用端末で実行され、少なくとも第四ステップは医師用端末で実行されることを付加的要件とする。
【００１２】
更に本発明は、スクリーニング情報を情報表示部に表示させる手順と、スクリーニング情報に対する回答に応じて問診情報を記憶部から読み出して情報表示部に表示させる手順と、スクリーニング情報に対する回答及び問診情報に対する回答を医師用端末に送信する手順とを実行させるための問診プログラム及びこのプログラムを記録した記録媒体を提供する。
【００１３】
また本発明は、患者用端末から送信されたスクリーニング情報に対する回答及び問診情報に対する回答を受信する手順と、受信した回答に基づき診断を行う手順と、診断結果を診断結果表示部に表示させる手順とを実行させるための診断プログラム及びこの診断プログラムを記録した記録媒体を提供する。
【００１４】
そしてこの診断プログラム及び記録媒体は、受信した回答を集計する手順と、集計結果を診断結果表示部に表示させる手順とを備えたことを付加的要件とする。
【００１５】
上記のように構成される本発明によれば、患者用端末にスクリーニング情報及び問診情報が表示され、患者自身が端末を操作して回答した内容に基づいて疾患を推定することができるため、患者自らが直接医師には訴えにくいような症状についても確実に拾い上げ、迅速かつ的確に診断を下すことができる。また、医師自身が患者に対して問診を行う必要がないため、限られた時間を有効に活用することができる。
【００１６】
【発明の実施の形態】
本発明の実施の形態として、図１に示す問診システム１０を例に挙げて説明する。この問診システム１０は、少なくとも患者用端末１１と医師用端末１２とを備えたハードウェア構成となっており、両端末はＬＡＮ等の通信手段１９によって接続されている。
【００１７】
この問診システム１０は、患者用端末１１に問診プログラムが記録された記録媒体を挿入してインストールし、医師用端末１２に診断プログラムが記録された記録媒体を挿入してインストールすることにより実現される。
【００１８】
図１に示すように、問診システム１０は、患者のスクリーニングを行うためのスクリーニング情報及びスクリーニング結果に対応する問診を行うための問診情報を記憶する記憶部１３と、スクリーニング情報及び問診情報を表示する情報表示部１４と、情報表示部１４に表示された質問に対して患者が回答する際の回答に入力に用いる入力部１５と、入力部１５から入力された回答の内容にしたがって記憶部１３から問診情報を選択して読み出し情報表示部１４に表示させる制御部１６と、入力部１５から入力された回答の内容に基づき診断を行う診断部１７と、診断部１７による診断結果を表示する診断結果表示部１８とを具備している。以下では、患者用端末１１に記憶部１３と情報表示部１４と入力部１５と制御部１６とを備え、医師用端末１２に診断部１７と診断結果表示部１８とを備えている場合を例に挙げて説明する。なお、記憶部１３は医師用端末１２に備えていてもよい。
【００１９】
患者用端末１１において問診プログラムを起動すると、まず最初に情報表示部１４には、例えば図２の画面２０に示す個人情報の入力を促す画面が表示される。そして患者は、入力部１５から、個人ＩＤ、性別、生年月日等を入力する。入力部１５としては、キーボード、マウス、タッチパネル等が用いられる。
【００２０】
個人情報の入力が終わり、「次へ」を選択すると、記憶部１３からスクリーニング情報が読み出され、情報表示部１４には、例えば図３の画面２１に示す患者に対するスクリーニングを行うための画面が表示され、患者に対して質問に対する回答の入力を促す（第一ステップ）。
【００２１】
この画面の各項目の左端には、各項目ごとに患者が入力するための「□」欄が設けられ、患者は、入力部１５を操作して自分の症状に合わせて該当する項目にマークするか、または数字を入力する。
【００２２】
必要な入力が終わり、「次へ」を選択すると、制御部１６において回答の内容を解析し、その内容に応じて、精神疾患のおそれがあるか否か、あるとすれば、（１）うつ病、（２）不安障害、（３）睡眠障害、（４）説明できない身体症状、（５）アルコール障害のいずれに該当するおそれがあるかを判断する。
【００２３】
例えばうつ病のおそれがあると判断すると、記憶部１３から問診情報を読み出し、例えば図４に示す画面２２のようなうつ病に関する問診の画面が情報表示部１４に表示され、患者に対して問診に対する回答の入力を促す（第二ステップ）。ここでも画面の左端には各項目ごとに患者が入力するための欄が設けられ、患者は、自分の症状に合わせて入力部１５を操作して該当する項目にマークする。また、「次へ」の欄を選択することにより、図５の画面２３、図６の画面２４と次々に質問が表示される。
【００２４】
また、制御部１６において、不安障害のおそれあり、睡眠障害のおそれあり、説明できない身体症状のおそれあり、アルコール障害のおそれありと判断された場合は、各疾患に対応した問診情報を記憶部１３から読み出し情報表示部１４に表示する。表示される問診情報は、一つの疾患に対して複数存在する場合もある。
【００２５】
問診についての回答が終わると、図６の画面２４において「終了」を選択すると、患者側の入力作業は終了する。
【００２６】
患者によって入力部１５から入力された内容、即ち、スクリーニング情報に対する回答及び問診情報に対する回答は、図１に示した医師用端末１２に転送される。図１に示したように、医師用端末１２は、診断部１７と診断結果表示部１８とを備えており、受信した回答の内容は診断部１７において解析される（第三ステップ）。
【００２７】
診断部１７においては、転送されてきた症状から疾患の種類を推定し、例えばうつ病であると判断した場合は、診断結果表示部１８に、例えば図７に示す画面２５のように診断を下す（第四ステップ）。このように、診断結果は医師用端末１２の診断結果表示部１８にのみ表示され、患者用端末１１には表示されないため、患者に知らせたくない疾患の場合は、疾患名を秘密にすることができる。
【００２８】
このようにして診断結果表示部１８に疾患の種類を推定して表示させることができるため、患者自らが直接医師には訴えにくいような症状についても確実に拾い上げ、迅速かつ的確に診断を下すことができる。また、医師自身が患者に対して問診を行う必要がないため、限られた時間を有効に活用することができる。
【００２９】
本発明においては、図８に示す問診システム１０ａように、患者用端末１１と医師用端末１２との間にサーバ３０を介在させることもでき、この場合はサーバ３０に患者の回答の内容をデータベースとして蓄積する蓄積部３１を設ければ、蓄積した情報を集計して診断結果表示部１８に表示させることができる。また、サーバが介在しない図１の形態であっても、患者用端末１１または医師用端末１２のいずれかに蓄積部３１を設ければ、同様の機能を有することができる。
【００３０】
更に、両端末をインターネットを介して接続することもでき、この場合はＷｅｂサーバを両端末の間に介在させることができる。
【００３１】
なお、本実施の形態では精神疾患の診断を例に挙げて説明したが、本発明が適用される範囲はこれに限定されるものではなく、その他の病気についても適用することができる。
【００３２】
例えば、総合病院の受付において、患者の症状のみからは受診しようとする診療科が不明である場合には、本発明の問診によって最適な診療科を自動的に表示させるようにすることができる。
【００３３】
【発明の効果】
以上説明したように、本発明によれば、患者用端末にスクリーニング情報及び問診情報が表示され、患者自身が端末を操作して回答した内容に基づいて疾患を推定することができるため、患者自らが直接医師には訴えにくいような症状についても確実に拾い上げ、迅速かつ的確に診断を下すことができる。また、医師自身が患者に対して問診を行う必要がないため、限られた時間を有効に活用することができる。
【図面の簡単な説明】
【図１】本発明に係る問診システムの構成の一例を示すブロック図である。
【図２】個人情報の入力画面を示す説明図である。
【図３】スクリーニング画面を示す説明図である。
【図４】問診画面を示す説明図である。
【図５】問診画面を示す説明図である。
【図６】問診画面を示す説明図である。
【図７】診断結果の表示画面を示す説明図である。
【図８】本発明に係る問診システムの構成の第二の例を示すブロック図である。
【符号の説明】
１０、１０ａ…問診システム  １１…患者用端末
１２…医師用端末  １３…記憶部  １４…情報表示部
１５…入力部  １６…制御部  １７…診断部
１８…診断結果表示部  １９…通信手段
２０〜２５…画面  ３０…サーバ  ３１…蓄積部
【図１】
2004160082.tif 000003
【図２】
2004160082.tif 000004
【図３】
2004160082.tif 000005
【図４】
2004160082.tif 000006
【図５】
2004160082.tif 000007
【図６】
2004160082.tif 000008
【図７】
2004160082.tif 000009
【図８】
2004160082.tif 000010